(57)【要約】【課題】スイッチのオンオフ動作の確実化を図る。【解決手段】レバー３が中立保持ばね７の弾性で中立位置に保持された場合、スイッチ操作体１０が中立保持ばね７の弾性で後から前に直線的に移動してスイッチ１２の光Ｒを遮断せず、スイッチ１２がスイッチ操作体１０を検出しない状態になり、その状態において、レバー３を遊技者が中立保持ばね７の弾性に抗して固定軸受４および可動軸受５からなる軸受を中心とする放射状の方向に揺動運動を行うことによってスイッチ操作体１０を中立保持ばね７の弾性に抗して前から後に直線的に移動させ、スイッチ操作体１０がスイッチ１２の発光部から受光部に向かう光Ｒを遮断し、スイッチ１２がスイッチ操作体１０を検出した状態になる。【選択図】図１
2008142210.tif 000002
【特許請求の範囲】
【請求項１】
遊技機の筐体前壁に取り付けられる容器と、容器に軸受を中心とする放射状の方向に揺動運動を行うように設けられたレバーと、容器に前後方向に直線的に移動可能に取り付けられたスイッチ操作体と、容器とスイッチ操作体とにわたって設けられてスイッチ操作体および軸受を前に押すことによってレバーを容器に対し容器の前後方向に延びる中心線上に位置する中立位置に保持するようにスイッチ操作体および軸受に弾性を与える中立保持ばねと、容器に固定されたスイッチとを備えたことを特徴とする遊技操作レバー装置。
【発明の詳細な説明】
【技術分野】
【０００１】
本発明は、レバーが一点を中心とする揺動運動を行うと、スイッチ操作部が前後方向の直線運動を行い、スイッチのオンオフ動作が確実に行える遊技操作レバー装置に関する。
【背景技術】
【０００２】
図８は、従来のスロットマシンに用いられるスタートレバー装置を例とする遊技操作レバー装置を示す。遊技操作レバー装置の前方容器６１がスロットマシンにおける遊技操作レバー装置を取り付けるための部材である筐体前壁１６の前方から筐体前壁１６に形成された取付孔１７に挿入され、ナット１５が筐体前壁１６の後から前方容器６１に締結されることによって、前方容器６１が筐体前壁１６に取り付けられる。後方容器６２が前方容器６１の後部に固定され、レバー６３が前方容器６１を前後方向に貫通し、球体軸受６４がレバー６３の中間部を前方容器６１に回転可能に支持する中心を構成する。中立保持ばね６５は、レバー６３と前方容器６１とにわたって設けられ、レバー６３が前方容器６１に対し前方容器６１の前後方向に延びる中心線Ｌの上に位置する中立位置を保持するように、レバー６３に弾性を与える。取手６６は、レバー６３の前方容器６１よりも前に突出した前部に固定される。スイッチ操作体６７は、レバー６３の前方容器６１よりも後に突出した後部に固定される。スイッチ６８は、後方容器６２の内部に設けられる。そして、レバー６３が中立位置を保持されている場合、スイッチ６８の発光部から発射された光Ｒがスイッチ操作体６７で反射され、当該反射光がスイッチ６８の発光部で受光されず、スイッチ６８がオフした状態である。その状態において、遊技者が取手６６を上から下にまたは右から左にまたは斜めに押すことによって、レバー６３が球体軸受６４を中心とする揺動運動を行う。つまり、取手６６を前から見た場合において、レバー６３は、上下方向のみならず、左右方向、斜め方向など、球体軸受６４を中心とする放射状の方向に揺動運動を行う。このレバー６３の揺動運動に伴い、スイッチ操作体６７のスイッチ６８に対する位置が変化し、スイッチ６８の発光部から発射された光Ｒがスイッチ操作体６７で反射され、当該反射光がスイッチ６８の発光部で受光され、スイッチ６８がオンした状態になる。しかしながら、スイッチ操作体６７がレバー６３の後部に固定されてレバー６３と一緒に揺動運動を行う構造であるので、スイッチ操作体６７によるスイッチ６８のオンオフ動作が不確実になりやすいという欠点がある。
【特許文献１】特開２００５−２８８１４０号公報
【発明の開示】
【発明が解決しようとする課題】
【０００３】
発明が解決しようとする問題点は、スイッチのオンオフ動作が不確実になりやすいという点である。
【課題を解決するための手段】
【０００４】
本発明に係る遊技操作レバー装置は、遊技機の筐体前壁に取り付けられる容器と、容器に軸受を中心とする放射状の方向に揺動運動を行うように設けられたレバーと、容器に前後方向に直線的に移動可能に取り付けられたスイッチ操作体と、容器とスイッチ操作体とにわたって設けられてスイッチ操作体および軸受を前に押すことによってレバーを容器に対し容器の前後方向に延びる中心線上に位置する中立位置に保持するようにスイッチ操作体および軸受に弾性を与える中立保持ばねと、容器に固定されたスイッチとを備えたことを最も主要な特徴とする。
【発明の効果】
【０００５】
本発明に係る遊技操作レバー装置は、レバーが軸受をを中心とする揺動運動を行うと、スイッチ操作部が前後方向の直線運動を行うので、スイッチのオンオフ動作が確実に行えるという利点がある。
【発明を実施するための最良の形態】
【０００６】
図１乃至図４は、発明を実施するための最良の形態である。図１のａ図は、遊技操作レバー装置の中立状態を前後方向に切断した断面を示す。図１のｂ図は、遊技操作レバー装置の動作状態を前後方向に切断した断面を示す。図２は、遊技操作レバー装置の外観を分解して示す。図３は、遊技操作レバー装置の内部を前後方向に切断しかつ分解して示す。図４は遊技操作レバー装置の前方構造体と後側構造体と前後方向に切断しかつ分解して示す。本明細書において、「前」、「表」、「後」、「裏」、「左」、「右」、「上」、「下」の方向は、図１の状態に遊技操作レバー装置を置いて矢印Ａで示す前方から見た場合に特定される方向である。「前」および「表」は、同じ方向である。「後」および「裏」は、同じ方向である。
【０００７】
図１を参照し、遊技操作レバー装置の構造について説明する。図１のａ図に示すように、前方容器１が筐体前壁１６の前から取付孔１７に挿入され、ナット１５が筐体前壁１６の後から前方容器１に締結されることによって、前方容器１が筐体前壁１６に取り付けられる。前方容器１の後部には後方容器２が固定され、レバー３が前方容器１を前後方向に貫通し、固定軸受４および可動軸受５からなる軸受がレバー３の中間部を前方容器１に回転可能に支持する中心を構成する。止ねじ６が可動軸受５の後から可動軸受５を貫通してレバー３に締結されることによって、可動軸受５がレバー３に固定される。中立保持ばね７は、前方容器１とレバー３とにわたって設けられ、前方容器１に対しレバー３を中立位置に保持するように、レバー３に弾性を与える。レバー３が中立位置に保持された場合、レバー３の前後方向に延びる中心線と前方容器１の前後方向に延びる中心線Ｌとが互いに重なる。
【０００８】
レバー３の前方容器１よりも前に突出した前部には、取手９が固定される。後方容器２の内部には、スイッチ操作体１０が前後方向に直線的に移動可能に収容される。スイッチ操作体１０には、ばね受止体１１が固定され、スイッチ操作体１０と一緒に後方容器２の内部を前後方向に直線的に移動する。中立保持ばね７は、後方容器２の後壁とばね受止体１１との間に挿入され、スイッチ操作体１０を後から前に押すような弾性をスイッチ操作体１０に与える。スイッチ１２は、後方容器２の後から内部に収容され、後方容器２に固定される。
【０００９】
図１のａ図に示すように、図外の制御装置から電力がスイッチ１２に供給され、レバー３が中立位置に保持された場合、スイッチ操作体１０が中立保持ばね７の弾性で後から前に移動してスイッチ１２の発光部から受光部に向かう光Ｒよりも前に離れ、スイッチ１２がスイッチ操作体１０を検出していないことを示すオフ信号を図外の制御装置に出力する。つまり、スイッチ操作体１０が中立保持ばね７の弾性で後から前に移動してスイッチ１２の光Ｒを遮断していなければ、スイッチ１２の発光部から発射された光Ｒがスイッチ１２の受光部で受光され、スイッチ１２がスイッチ操作体１０を検出していないオフ動作した状態になる。
【００１０】
その状態において、図１のｂ図に示すように、遊技者が取手９を上から下にまたは右から左にまたは斜めに押すことによって、レバー３が中立保持ばね７の弾性に抗して固定軸受４および可動軸受５からなる軸受を中心とする放射状の方向に揺動運動を行い、これに伴い、可動軸受５が傾いてばね受止体１１を後に押し、ばね受止体１１およびスイッチ操作体１０が中立保持ばね７の弾性に抗して前から後に直線的に移動し、スイッチ操作体１０がスイッチ１２の発光部から受光部に向かう光Ｒを遮断し、スイッチ１２の受光部がスイッチ操作体１０を検出したオン信号を上記制御装置に出力する。つまり、スイッチ操作体１０がスイッチ１２の光Ｒを遮断し、スイッチ１２の発光部から発射された光Ｒがスイッチ１２の受光部で受光されず、スイッチ１２がスイッチ操作体１０を検出したオン動作した状態になる。
【００１１】
よって、最良の形態によれば、レバー３が固定軸受４および可動軸受５からなる軸受による一点を中心とする揺動運動を行うと、スイッチ操作体１０が前後方向の直線運動を行うので、スイッチ１２のオンオフ動作が確実に行えるという利点がある。
【００１２】
図２を参照し、遊技操作レバー装置の構成部材について説明する。前方容器１は、前後方向に貫通する筒状であって、後方容器２と組み合わせられることによって遊技操作レバー装置の装置筐体を構成し、鍔部１８、前雄ねじ部１９、後雄ねじ部２０、収容部２１を備える。鍔部１８は、前方容器１の周壁の前部から径方向外側に突出する環状として、前方容器１の前部に設けられる。径方向は、中心線Ｌと直交する方向である。前雄ねじ部１９は、前方容器１の周壁の前部に設けられる。前雄ねじ部１９の外径は、後雄ねじ部２０の外径よりも大きい。後雄ねじ部２０は、前方容器１と後方容器２とを互いに取り付ける部分として、前方容器１の周壁の後部に設けられる。収容部２１は、前方容器１の前面から内部への窪みとして、前方容器１の内部に設けられる。
【００１３】
後方容器２は、前後方向に貫通する筒状であって、雌ねじ部２２、収容部２３を備える。雌ねじ部２２は、前方容器１と後方容器２とを互いに取り付ける部分として、後方容器２の前内部に設けられる。収容部２３は、スイッチ１２を後方容器２の後から収容する部分として、後方容器２の後部に設けられる。レバー３は、前後方向に直線的に延びる棒として構成され、突部２４を備える。突部２４は、レバー３の外周面から径方向外側に突出する突起として、レバー３の前後方向の中間部に設けられる。固定軸受４の中央部には、逃避孔２５が、固定軸受４の前後方向への貫通孔として、設けられる。可動軸受５は、収容部２６、挿入孔２７を備える。収容部２６は、固定軸受４の後部を収容する部分として、可動軸受５の前面から内部への窪みとして、可動軸受５の前内部に設けられる。挿入孔２７は、可動軸受５の前後方向への貫通孔として、可動軸受５の中央部に設けられる。
【００１４】
中立保持ばね７は、コイルスプリングにより構成される。スイッチ操作体１０は、前後方向に直線的に延びる棒として構成され、環状溝２８を備える。環状溝２８は、スイッチ操作体１０をばね受止体１１に固定する部分として、スイッチ操作体１０の外周面から内部に窪み、スイッチ操作体１０の外周面を一周する溝として、スイッチ操作体１０の前後方向の中間部に設けられる。ばね受止体１１は、前が塞がれ、後が開口した、有蓋筒状であって、後方容器２の前から内部に前後方向に移動可能に収容されるものであって、取付孔２９を備える。取付孔２９は、スイッチ操作体１０をばね受止体１１に取り付ける部分として、ばね受止体１１の前後方向への貫通孔として、ばね受止体１１の中央部に設けられる。
【００１５】
スイッチ１２は、凹部３０、発光部３１、受光部３２、取付部３３、コネクタ３４を備える。凹部３０は、スイッチ１２の前方および径方向に開口し、スイッチ１２の前面から後への窪みとして、スイッチ１２の前部に設けられる。発光部３１は、スイッチ１２の凹部３０で隔てられた一方に設けられる。受光部３２は、スイッチ１２の凹部３０で隔てられた他方に設けられる。取付部３３は、スイッチ１２を後方容器２に取り付ける部分として、スイッチ１２の側部に設けられる。コネクタ３４は、スイッチ１２の後部に設けられる。コネクタ３４は、スイッチ１２に電力を供給したり、スイッチ１２からの電気信号を出力したりする。
【００１６】
図３を参照し、遊技操作レバー装置の構成部材の内部構造について説明する。レバー３の後部には、取付部３５が、レバー３の後面から内部に窪む雌ねじ部として設けられる。取付部３５は、止ねじ６をレバー３に締結する部分である。前方容器１には、逃避孔３６および収容部３７が設けられる。逃避孔３６は、収容部２１から後に同軸状に連なる貫通孔として、前方容器１の中間内部に設けられる。収容部３７は、固定軸受４を後から収容する部分であって、前方容器１の後内部に設けられる。よって、前方容器１の内部には、収容部２１と逃避孔３６および収容部３７が、前から後に順に同軸状に連接して設けられる。逃避孔３６の直径は、収容部２１の直径および収容部３７の直径よりも小さい。
【００１７】
固定軸受４の後部には、可動受突部３８が、固定軸受４の逃避孔２５を囲むように、固定軸受４から後に突出する筒状に設けられる。可動軸受５には、隔壁３９および収容部４０が設けられる。隔壁３９は、収容部２６の後部を塞ぐように、可動軸受５の内部に設けられる。隔壁３９には、挿入孔２７が設けられる。収容部４０は、止ねじ６の頭部を収容する部分であって、可動軸受５の後内部に設けられる。よって、可動軸受５の内部には、収容部２６と挿入孔２７および収容部４０が、前から後に順に同軸状に連接して設けられる。収容部２６および収容部４０が、隔壁３９で前後に仕切られる。
【００１８】
ばね受止体１１には、固着部４１およびばね収容部４２が設けられる。固着部４１は、ばね受止体１１にスイッチ操作体１０を固定する部分であって、取付孔２９の内周面から内部に突出し、取付孔２９の内周面を一周する突起として、ばね受止体１１の内部に設けられる。ばね収容部４２は、中立保持ばね７の前部を受け止める部分であって、取付孔２９の周壁を囲むように、後に開口した環状の溝として、ばね受止体１１に内部に設けられる。
【００１９】
後方容器２には、収容部４３および取付部４４が設けられる。収容部４３は、ばね受止体１１を前後方向に移動可能に収容する部分であって、後方容器２の雌ねじ部２２から後に同軸状に連なる凹部として、後方容器２の内部に設けられる。よって、後方容器２の内部には、雌ねじ部２２と収容部４３および収容部２３が、前から後に順に同軸状に連接して設けられる。取付部４４は、収容部２３よりも径方向外側に位置し、後方容器２の後壁から前への窪みとして、後方容器２の後部に設けられる。スイッチ１２の取付部３３には、挿入孔４５が前後方向への貫通孔として設けられる。
【００２０】
図３において、遊技操作レバー装置の組立方について説明する。前方容器１、レバー３、固定軸受４、可動軸受５が互いに組み付けられ、後方容器２、中立保持ばね７、スイッチ操作体１０、ばね受止体１１、スイッチ１２が互いに組み付けられ、その後、前方容器１と後方容器２とが互いに組み付けられる。具体的には、レバー３が前方容器１の前から収容部２１および逃避孔３６を経由して収容部３７に挿入される。固定軸受４が前方容器１の後から収容部３７に収容される。この場合、レバー３における収容部３７に配置された後部が固定軸受４の逃避孔２５に挿入される。可動軸受５が前方容器１の後から収容部３７に収容される。これによって、固定軸受４の可動受突部３８と可動軸受５の収容部２６とが互いに嵌め合わされる。その後、止ねじ６が可動軸受５の後から挿入孔２７を経由して取付部３５に締結される。これによって、図４の左側に示すように、前方容器１とレバー３と固定軸受４および可動軸受５が、互いに組み立てられ、前構造体を構成する。
【００２１】
図３に戻り、スイッチ操作体１０が取付孔２９に挿入され、環状溝２８と固着部４１とが互いに嵌め合わされ、スイッチ操作体１０がばね受止体１１に固定され、スイッチ操作体１０の後部がばね受止体１１から後に突出する。中立保持ばね７が後方容器２の前から雌ねじ部２２を経由して収容部４３に収容され、ばね受止体１１が後方容器２の前から雌ねじ部２２を経由して収容部４３に収容される。これによって、スイッチ操作体１０の後部が中立保持ばね７の内部に配置され、中立保持ばね７の前部がばね収容部４２に収容されてばね受止体１１に受け止められ、中立保持ばね７の後部が収容部４３に収容されて後方容器２に受け止められる。スイッチ１２の発光部３１および受光部３２が収容部２３に後から収容され、止ねじ１４がスイッチ１２の後から挿入孔４５を経由して取付部４４に締結される。これによって、図４の右側に示すように、後方容器２と中立保持ばね７とスイッチ操作体１０とばね受止体１１およびスイッチ１２が、互いに組み立てられ、後構造体を構成する。
【００２２】
最後に、図４の左側に示す前方容器１と図４の右側に示す後方容器２とが、互いに組み立てられる。それには、前方容器１から後に突出する可動軸受５が後方容器２の前から雌ねじ部２２を経由して収容部４３に取り込まれ、後雄ねじ部２０が雌ねじ部２２に装着され、後方容器２の前面が前方容器１の前雄ねじ部１９の後雄ねじ部２０よりも径方向外側に突出する後面に接触し、前方容器１と後方容器２とが互いに固定される。これによって、遊技操作レバー装置が図１のａ図に示す形状に構成される。
【００２３】
つまり、図１に示すように、可動軸受５がばね受止体１１を後に押し、ばね受止体１１が中立保持ばね７を圧縮し、その中立保持ばね７の反力としての弾性がばね受止体１１から可動軸受５を経由して固定軸受４に伝達され、固定軸受４が前方容器１に受け止められ、レバー３が前方容器１に対し上記中立保持ばね７の弾性によって中立位置に保持され、スイッチ操作体１０の後部がスイッチ１２の発光部３１から受光部３２に向かう光Ｒよりも前に離れて配置される。
【産業上の利用可能性】
【００２４】
図５は、異なる第１の形態に係るばね受止体１１を示す。図５のａ図では、ばね受止体１１には、前弾性片４７および後弾性片４８が設けられる。前弾性片４７は、ばね受止体１１の外周壁の前部に形成された２本のスリット４９に挟まれた格好で、ばね受止体１１の外周壁の前部に設けられる。前弾性片４７には、突起５０が前弾性片４７の外面から径方向外側に突出するように設けられる。後弾性片４８は、ばね受止体１１の外周壁から後に突出し、ばね受止体１１の後部に設けられ、後弾性片４８には、突起５１が前弾性片４７の外面から径方向外側に突出するように設けられる。
【００２５】
図５のｂ図では、後弾性片４８が、ばね受止体１１の外周壁の後部に形成された２本のスリット５２に挟まれた格好で、ばね受止体１１の外周壁の後部に設けられる。それ以外の構造は、図５のａ図と同じである。
【００２６】
図５のａ図およびｂ図のばね受止体１１が図１のａ図の後方容器２の内部に収容された場合、突起５０；５１が後方容器２の内面に接触し、前弾性片４７および後弾性片４８が径方向内側に撓み、ばね受止体１１の外周壁の外面がばね受止体１１の内面から離れる。よって、ばね受止体１１が図１のａ図の後方容器２の内部に収容されて前後方向に移動する場合、ばね受止体１１が円滑に動くという利点がある。
【００２７】
図５のｃ図では、前弾性片４７が、ばね受止体１１の外周壁から前方に行くにしたがい、ばね受止体１１の径方向外側に突出する。後弾性片４８は、ばね受止体１１の外周壁から後方に行くにしたがい、ばね受止体１１の径方向外側に突出する。そして、ばね受止体１１が図１のａ図の後方容器２の内部に収容された場合、前弾性片４７の前部外面および後弾性片４８の前部外面が後方容器２の内面に接触し、前弾性片４７および後弾性片４８が径方向内側に撓み、ばね受止体１１の外周壁の外面がばね受止体１１の内面から離れる。よって、ばね受止体１１が図１のａ図の後方容器２の内部に収容されて前後方向に移動する場合、ばね受止体１１が円滑に動くという利点がある。
【００２８】
図５のｄ図では、前弾性片４７および後弾性片４８が筒状に形成された以外は、図５のｃ図と同じである。図５のａ乃至ｃ図において、前弾性片４７および後弾性片４８の個数は、３個または５個以上であってもよい。前弾性片４７および後弾性片４８は、異なる個数でもよい。
【００２９】
図６は、異なる第２の形態に係る遊技操作レバー装置を示す。レバー３と固定軸受４と可動軸受５と止ねじ６と中立保持ばね７とスイッチ操作体１０とばね受止体１１およびスイッチ１２が前方容器１に取り付けられ、後方容器２が除去された構造である。前方容器１では、収容部２１が前後方向への貫通孔として前方容器１の板状の前壁に設けられ、収容部３７の前後方向への奥行が図１の収容部３７よりも深く形成される。可動受突部３８が固定軸受４の外縁部に設けられる。可動軸受５が円盤状に構成される。
【００３０】
遊技操作レバー装置が組み立てられる場合、レバー３が前方容器１の前から収容部２１を経由して収容部３７に挿入され、固定軸受４が前方容器１の後から収容部３７に収容され、レバー３における収容部３７に配置された後部が固定軸受４の逃避孔２５に挿入される。可動軸受５が前方容器１の後から収容部３７に収容され、固定軸受４の可動受突部３８と可動軸受５の収容部２６とが互いに嵌め合わされ、止ねじ６が可動軸受５の後からレバー３に締結される。その後、スイッチ操作体１０の設けられたばね受止体１１が前方容器１の後から収容部３７に収容され、中立保持ばね７が前方容器１の後からばね受止部４２に収容された後、スイッチ１２が前方容器１の後部に図外の止ねじで固定されることによって、スイッチ１２の凹部３０とスイッチ操作体１０とが同軸状に対向し、中立保持ばね７の前部が前方容器１に接触し、中立保持ばね７の後部がとスイッチ１２に接触し、中立保持ばね７がばね受止体１１を前に押し、可動軸受５とばね受止体１１とが互いに接触する。
【００３１】
これによって、図６のａ図に示すように、レバー３が前方容器１に対し中立位置に保持され、スイッチ操作体１０が中立保持ばね７の弾性で後から前に移動してスイッチ１２の光Ｒを遮断せず、スイッチ１２の発光部から発射された光Ｒがスイッチ１２の受光部で受光され、スイッチ１２がスイッチ操作体１０を検出していないオフ動作した状態になる。その状態において、図６のｂ図に示すように、遊技者が取手９を上から下にまたは右から左にまたは斜めに押すことによって、レバー３が中立保持ばね７の弾性に抗して固定軸受４および可動軸受５からなる軸受を中心とする放射状の方向に揺動運動を行い、これに伴い、可動軸受５が傾いてばね受止体１１を後に押し、ばね受止体１１およびスイッチ操作体１０が中立保持ばね７の弾性に抗して前から後に直線的に移動し、スイッチ操作体１０がスイッチ１２の発光部から受光部に向かう光Ｒを遮断し、スイッチ１２の受光部がスイッチ操作体１０を検出したオン動作した状態になる。
【００３２】
図７は、異なる第３の形態に係る前方容器１とレバー３と固定軸受４および可動軸受５
を示す。レバー３には緩衝部材７３が被覆される。緩衝部材７３は、後から前に行くにしたがって外径が徐々に小さくなる截頭円錐形に構成される。緩衝部材７３の一部がレバー３に形成された凹部７４に収容され、緩衝部材７３のレバー３に対する位置が確保される。収容部２１および逃避孔２５；３６は、後から前に行くにしたがって外径が徐々に大きくなるすり鉢形に構成される。可動軸受５がナット７５でレバー３に固定される。具体的には、レバー３の後部には、小径部７６および雄ねじ部７７が前から後に順に同軸状に設けられる。そして、レバー３の後部が前方容器１の前から収容部２１と逃避孔２５；３６を経由して可動軸受５の内部に挿入されると、小径部７６が挿入孔２７に嵌め込まれ、雄ねじ部７７が収容部４０に配置される。その後、ナット７５が可動軸受５の後から雄ねじ部７７に締結されることによって、可動軸受５がナット７５でレバー３に固定される。
【００３３】
図７のａ図に示すように、レバー３が中立保持ばね７（図１参照）によって前方容器１に対し中立位置に保持された場合、緩衝部材７３が収容部２１に接触しないように配置される。そして、図７のｂ図に示すように、遊技者が取手９を上から下にまたは右から左にまたは斜めに押した場合、緩衝部材７３の外周面が収容部２１の内周面に接触し、レバー３が前方容器１に衝突せず、品質が向上するという利点がある。
【図面の簡単な説明】
【００３４】
【図１】ａ図は遊技操作レバー装置の中立状態の断面図、ｂ図は遊技操作レバー装置の動作状態の断面図（最良の形態）。
【図２】遊技操作レバー装置の分解斜視図（最良の形態）。
【図３】遊技操作レバー装置の分解断面図（最良の形態）。
【図４】遊技操作レバー装置の前構造体と後構造体との分解断面図（最良の形態）。
【図５】ａ乃至ｄ図は別々のばね受止体の斜視図（異なる第１の形態）。
【図６】ａ図は遊技操作レバー装置の中立状態の断面図、ｂ図は遊技操作レバー装置の動作状態の断面図（異なる第２の形態）。
【図７】ａ図は遊技操作レバー装置の前構造体の断面図、ｂ図は遊技操作レバー装置の前構造体の動作状態の断面図（異なる第３の形態）。
【図８】遊技操作レバー装置の断面図（従来）。
【符号の説明】
【００３５】
１は前方容器、２は後方容器、３はレバー、４は固定軸受、５は可動軸受、６は止ねじ、７は中立保持ばね、８は欠番、９は取手、１０はスイッチ操作体、１１はばね受止体、１２はスイッチ、１３は欠番、１４は止ねじ、１５はナット、１６は筐体前壁、１７は取付孔、１８は鍔部、１９は前雄ねじ部、２０は後雄ねじ部、２１は収容部、２２は雌ねじ部、２３は収容部、２４は突部、２５は逃避孔、２６は収容部、２７は挿入孔、２８は環状溝、２９は取付孔、３０は凹部、３１は発光部、３２は受光部、３３は取付部、３４はコネクタ、３５は取付部、３６は逃避孔、３７は収容部、３８は可動受突部、３９は隔壁、４０は収容部、４１は固着部、４２はばね収容部、４３は収容部、４４は取付部、４５は挿入孔、４６は欠番、４７は前弾性片、４８は後弾性片、４９はスリット、５０は突起、５１は突起、５２はスリット、５３乃至６０は欠番、６１は前方容器、６２は後方容器、６３はレバー、６４は球体軸受、６５は中立保持ばね、６６は取手、６７はスイッチ操作部、６８はスイッチ、６９はナット、７０は筐体前壁、７１は取付孔、Ｒは光、Ｌは中心線。
【図１】
2008142210.tif 000003
【図２】
2008142210.tif 000004
【図３】
2008142210.tif 000005
【図４】
2008142210.tif 000006
【図５】
2008142210.tif 000007
【図６】
2008142210.tif 000008
【図７】
2008142210.tif 000009
【図８】
2008142210.tif 000010